(57)【要約】【課題】煩雑な操作を要することなく車両電装品を適正に操作できるようにする。【解決手段】車両に搭載された車両電装品を操作するスイッチ手段４と、この車両電装品の作動状態を表示する表示手段２とを備えた車両電装品の操作装置において、表示手段２には、上記車両電装品を操作するための複数の操作アイテムａ１等が並んで表示されるとともに、スイッチ手段４は、複数の操作アイテムａ１等を個別に選択する機能と、予め設定された特定操作アイテムが選択されるように誘導する誘導機能とを備えた。【選択図】図２
2008044495.tif 000002
【特許請求の範囲】
【請求項１】
車両に搭載された車両電装品を操作するスイッチ手段と、この車両電装品の作動状態を表示する表示手段とを備えた車両電装品の操作装置において、表示手段に、上記車両電装品を操作するための複数の操作アイテムが並んで表示されるとともに、スイッチ手段が、上記操作アイテムを個別に選択する機能と、予め設定された特定操作アイテムを優先して選択させるように誘導する誘導機能とを備えたことを特徴とする車両電装品の操作装置。
【請求項２】
請求項１記載の車両電装品の操作装置において、スイッチ手段に設けられた選択スイッチによる操作アイテムの選択動作が連続して行われた場合に、特定操作アイテムの表示位置にカーソルが移動した時点でこのカーソルの移動を停止させることにより、この特定操作アイテムが選択されるように誘導することを特徴とする車両電装品の操作装置。
【請求項３】
請求項１又は２記載の車両電装品の操作装置において、スイッチ手段に設けられた選択スイッチによる操作アイテムの選択動作が連続して行われた場合に、特定操作アイテムの表示位置にカーソルが移動した時点で音声発生手段を作動させることにより、この特定操作アイテムが選択されるように誘導することを特徴とする車両電装品の操作装置。
【請求項４】
請求項１記載の車両電装品の操作装置において、スイッチ手段に、複数の操作アイテムを個別に選択する個別選択スイッチと、特定操作アイテムを優先的に選択する優先選択スイッチとが設けられたことを特徴とする車両電装品の操作装置。
【請求項５】
請求項１〜４のいずれか１項に記載の車両電装品の操作装置において、表示手段には、各種の車両電装品に対応した複数の表示領域が連続して配列されるとともに、各表示領域に複数の操作アイテムが配置されたことを特徴とする車両電装品の操作装置。
【請求項６】
請求項１〜５のいずれか１項に記載の車両電装品の操作装置において、スイッチ手段がステアリングホイールに設けられたことを特徴とする車両電装品の操作装置。
【発明の詳細な説明】
【技術分野】
【０００１】
本発明は、車両に搭載された車両電装品を操作するスイッチ手段と、この車両電装品の作動状態を表示する表示手段とを備えた車両電装品の操作装置に関するものである。
【背景技術】
【０００２】
従来、例えば下記特許文献１に開示されているように、ステアリングホイールにクルーズスイッチ、オーディオスイッチ、電話スイッチおよびディプトロスイッチ（シフト操作用スイッチ）等を設置し、各スイッチの操作に対応した制御信号を、自動定速走行装置、車載オーディオ装置、自動車用電話および変速制御装置等からなる車両電装品に出力することにより、各車両電装品をそれぞれ操作して任意の作動状態とすることができるように構成したことが行われている。
【０００３】
また、例えば特許文献２に開示されているように、複数の車両電装品に関する操作メニューを集中的に表示する集中ディスプレイ（投影表示装置）と、この集中ディスプレイ上に表示された操作メニューを選択操作するための操作部（集中操作スイッチ）とを備え、上記集中ディスプレイ上の操作メニューが上記操作部により操作されるのに応じ、上記車両電装品に所定の動作を実行させるように構成された車両電装品の操作装置が知られている。
【特許文献１】特開平２００４−２５９２６号公報
【特許文献２】特開平７−２５７２３１号公報
【発明の開示】
【発明が解決しようとする課題】
【０００４】
しかしながら、上記特許文献１に開示されているように、ステアリングホイールに各種の操作スイッチを設けた場合には、操作すべき車両電装品に対応した操作スイッチを選択してそれぞれ個別に操作する必要があり、操作が煩雑であるとともに、誤操作が生じ易いという問題がある。
【０００５】
一方、上記特許文献２に開示されたような車両電装品の操作装置では、ステアリングホイールに設けられた操作スイッチに各種の操作機能を集約化することにより、ステアリングホイールの操作時に上記操作スイッチが誤操作されるのを抑制できるという利点がある反面、上記集中ディスプレイ上に表示される操作メニューの数が多いときには、上記操作メニューを選択操作する際の視覚的な煩わしさが増大し、当該操作に余計な時間を要するおそれがある。
【０００６】
本発明は、上記のような問題点に鑑みてなされたものであり、煩雑な操作を要することなく車両電装品を適正に操作することができる車両電装品の操作装置を提供することを目的とする。
【課題を解決するための手段】
【０００７】
請求項１に係る発明は、車両に搭載された車両電装品を操作するスイッチ手段と、この車両電装品の作動状態を表示する表示手段とを備えた車両電装品の操作装置において、表示手段に、上記車両電装品を操作するための複数の操作アイテムが並んで表示されるとともに、スイッチ手段が、複数の操作アイテムを個別に選択する機能と、予め設定された特定操作アイテムを優先して選択させるように誘導する誘導機能とを備えたものである。
【０００８】
請求項２に係る発明は、上記請求項１記載の車両電装品の操作装置において、スイッチ手段に設けられた選択スイッチによる操作アイテムの選択動作が連続して行われた場合に、特定操作アイテムの表示位置にカーソルが移動した時点でこのカーソルの移動を停止させることにより、この特定操作アイテムが選択されるように誘導するものである。
【０００９】
請求項３に係る発明は、上記請求項１又は２記載の車両電装品の操作装置において、スイッチ手段に設けられた選択スイッチによる操作アイテムの選択動作が連続して行われた場合に、特定操作アイテムの表示位置にカーソルが移動した時点で音声発生手段を作動させることにより、この特定操作アイテムが選択されるように誘導するものである。
【００１０】
請求項４に係る発明は、上記請求項１記載の車両電装品の操作装置において、スイッチ手段に、複数の操作アイテムを個別に選択する個別選択スイッチと、特定操作アイテムを優先的に選択する優先選択スイッチとが設けられたものである。
【００１１】
請求項５に係る発明は、上記請求項１〜４のいずれか１項に記載の車両電装品の操作装置において、表示手段には、各種の車両電装品に対応した複数の表示領域が連続して配列されるとともに、各表示領域に複数の操作アイテムが配置されたものである。
【００１２】
請求項６に係る発明は、上記請求項１〜５のいずれか１項に記載の車両電装品の操作装置において、スイッチ手段がステアリングホイールに設けられたものである。
【発明の効果】
【００１３】
上記請求項１に係る発明では、スイッチ手段に、予め設定された特定操作アイテムが優先して選択されるように誘導する機能を持たせたため、表示手段に多数の操作アイテムが並んで配置されている場合でも、頻繁に使用される特定操作アイテムの選択を迅速かつ容易に実行できるという利点がある。
【００１４】
上記請求項２に係る発明では、スイッチ手段に設けられた選択スイッチによる操作アイテムの選択動作が連続して行われた場合、例えば選択スイッチの長押しが行われた場合等に、上記特定操作アイテムの選択位置にカーソルを一気に移動させることにより、この特定操作アイテムが優先して選択されるように誘導するように構成したため、表示手段に多数の操作アイテム等が並んで配置されている場合でも、操作者が一つずつカーソルを移動させて所望の操作アイテムを選択するという煩雑な操作を要することなく、頻繁に使用される特定操作アイテムの選択を迅速かつ容易に実行できるという利点がある。
【００１５】
上記請求項３に係る発明によれば、スイッチ手段に設けられた選択スイッチによる操作アイテムの選択動作が連続して行われた場合に、特定操作アイテムの表示位置にカーソルが移動した時点で、音声発生装置を作動させて警告音を発生させるように構成したため、この警告音に応じて特定操作アイテムの表示位置にカーソルが移動した状態にあることを操作者に認識させることにより、この特定操作アイテムを優先して選択するように効果的に誘導できるという利点がある。
【００１６】
上記請求項４に係る発明では、スイッチ手段に設けられた優先選択スイッチによる操作が行われた場合に、上記特定操作アイテムの選択位置にカーソルを一気に移動させる等により、この特定操作アイテムが優先して選択されるように誘導するように構成したため、表示手段に多数の操作アイテム等が並んで配置されている場合でも、操作者が一つずつカーソルを移動させて所望の操作アイテムを選択するという煩雑な操作を要することなく、予め設定された特定操作アイテムの選択を迅速かつ容易に実行できるという利点がある。
【００１７】
上記請求項５に係る発明では、表示手段に、各種の車両電装品に対応した複数の表示領域を連続して配列するとともに、各表示領域に複数の操作アイテムを配置したため、特定の表示領域の所定位置にカーソルが設定された状態から、他の表示領域にカーソルを移動させる操作を行うのと同時に、この表示領域に関する車両電装品について頻繁に利用される特定操作アイテムの表示位置にカーソルを自動的に移動させる等により、この操作アイテムの選択を迅速かつ容易に実行できるという利点がある。
【００１８】
上記請求項６に係る発明によれば、運転者がステアリングホイールから手を離すことなくスイッチ手段に設けられた選択スイッチおよび操作スイッチ等を操作することができるため、運転操作を行いながら特定の車両電装品を選択する動作およびこの車両電装品の操作を容易に行うことができるであるという利点がある。
【発明を実施するための最良の形態】
【００１９】
図１は、本発明の実施形態に係る車両電装品の操作装置が搭載された車両の車室前部を示し、図２は、上記操作装置の概略構成を示している。この車両電装品の操作装置は、インストルメントパネル１の上部中央付近に設置された表示手段２と、ステアリングホイール３に設けられたスイッチ手段４と、このスイッチ手段４の入力信号等に応じた制御信号を上記表示手段２に出力してその表示状態を制御するとともに、車両に搭載された空調装置５、オーディオ装置６およびＤＩＳ（ドライバーインフォメーションシステム）７等からなる車両電装品および音声発生装置８にそれぞれ制御信号を出力して、これらの作動状態を制御するコントロールユニット９とを有し、上記表示手段２の下方には、モニター１０と、各種スイッチやダイヤル等からなる操作部１１を有するナビゲーション装置が配設されている。
【００２０】
表示手段２は、図３に示すように、上記空調装置５に関する複数の操作アイテムａ１…が並んで表示された第１表示領域Ａと、オーディオ装置６に関する複数の操作アイテムｂ１…が並んで表示された第２表示領域Ｂと、ＤＩＳ（ドライバーインフォメーションシステム）に関する操作アイテムｃが表示された第３表示領域Ｃとが左右に連続して配列された集中ディスプレイからなっている。
【００２１】
図例では、上記空調装置５に関する左側の第１表示領域Ａに、助手席側の空調温度調節の操作アイテムａ１と、風量調節用の操作アイテムａ２と、エア吹出パターン変更用の操作アイテムａ３と、運転席側の空調温度調節の操作アイテムａ４とがそれぞれ並んで表示されている。上記オーディオ装置６に関する中央の第２表示領域Ｂには、オーディオソースを変更するための操作アイテムｂ１と、チャンネル選択用の操作アイテムｂ２と、周波数情報を提供する操作アイテムｂ３と、音量調節用の操作アイテムｂ４とが表示されている。上記ＤＩＳに関する右側の第３表示領域Ｃには、ＤＩＳから提供される平均燃費や平均速度等の運行情報を変更するための操作アイテムｃが表示されている。
【００２２】
上記スイッチ手段４は、図４に示すように、左右一対の左スイッチ１２および右スイッチ１３と、その間に配設された上下スイッチ１４とを有している。上記左スイッチ１２および右スイッチ１３は、上記表示手段２に表示された各操作アイテムａ１等から特定操作アイテムを選択する選択スイッチとしての機能を有するものである。具体的には、図３に示すように、上記各操作アイテムａ１等の選択位置を指示するカーソル１５が、上記第１表示領域Ａと第２表示領域Ａとの間に設けられたデフォルト位置αにある状態で、上記左スイッチ１２または右スイッチ１３の通常操作が行われると、その操作に応じた方向に上記カーソル１５を移動させるための指令信号が上記コントロールユニット９に入力されるとともに、これ入力信号に応じてカーソル１５の指示位置を変化させる制御信号がコントロールユニット９から上記表示手段２に出力されるようになっている。
【００２３】
また、左スイッチ１２または右スイッチ１３は、上記操作アイテム等の選択動作が連続して行われた場合、つまり上記左スイッチ１２または右スイッチ１３が長押しされた場合等に、後述するように、表示手段２に表示された多数の操作アイテムａ１等の中から予め設定された特定操作アイテムにカーソル１５を移動させて停止させることにより、この特定操作アイテムを優先的に選択する優先選択スイッチとしての機能をも有している。
【００２４】
上記上下スイッチ１４は、上下方向に操作可能な操作レバー１４ａを備えたトグルスイッチであり、この操作レバー１４ａが上下方向に操作されるのに応じ、予め選択された操作アイテムの上記表示手段２における表示内容を変化させるとともに、これに対応した制御動作を該当する車両電装品に実行させる操作スイッチとして機能するものである。具体的には、上記左スイッチ１２および右スイッチ１３からなる選択スイッチの操作に応じ、例えば図５に示すように運転席側の空調温度調節用の操作アイテムａ４が選択されている状態で、上記上下スイッチ１４の操作レバー１４ａを上下動させる操作が行われると、その操作信号が上記コントロールユニット９に入力される。この操作信号を受けたコントロールユニット９から、運転席側空調温度の設定値を変更する制御信号が空調装置５に出力されるとともに、これに対応して上記操作アイテムａ４の表示内容、つまり温度表示値を上昇または低下させる制御信号が表示手段２に出力されるようになっている。
【００２５】
上記第２表示領域Ｂに表示されたオーディオ装置６に関する操作アイテムｂ１〜ｂ４の左端に位置するオーディオソース変更用の操作アイテムｂ１が選択された状態で、上記上下スイッチ１４の操作レバー１４ａを上下動させる操作が行われると、その表示内容が、現状の「ＦＭ」ラジオの受信状態から、「ＡＭ」ラジオの受信状態、「ＣＤ」プレイヤーまたは「ＨＤＤ」プレイヤーの選択状態等に切り替えられるようになっている。また、上記第２表示領域Ｂにおける他の操作アイテムｂ２…については、オーディオソースの種類に応じてその表示内容が異なり、例えば上記オーディオソースが「ＦＭ」ラジオの受信状態から、「ＣＤ」プレイヤーに変更する操作が行われると、操作アイテムｂ２に選曲番号が表示されるとともに、操作アイテムｂ３としてＣＤチェンジャーの番号等が表示され、かつ操作アイテムｂ４に音量調節値が表示され、これらを調節または変化させる操作が上記上下スイッチ１４により行われるようになっている。
【００２６】
さらに、上記第３表示領域Ｃに表示されたＤＩＳに関する操作アイテムｃが選択された状態で、上記上下スイッチ１４の操作レバー１４ａを上下動させる操作が行われると、現状の、上記操作アイテムｃの表示内容が、例えば現状の平均速度の表示状態から、平均燃費や外気温の表示状態等に切り替えられる制御が上記コントロールユニット９において実行されるように構成されている。
【００２７】
上記カーソル１５は、上記デフォルト位置αにある状態では常に点灯表示されるが、上記デフォルト位置αから上記操作アイテムａ１等の何れかを指示する位置に移動した状態では点滅表示されるようになっている。これは、カーソル１５の表示を目立たせることによって、現在何れの操作アイテムが指示されているかを運転者に容易に認識させるためである。また、上記カーソル１５は、図３に示すようにデフォルト位置αにある場合と、デフォルト位置αから上記操作アイテムａ１等の何れかの下方に移動したとき、例えば図５に示すように、風量調節用の操作アイテムａ２を指示する位置に移動した場合とで、形状が変化し、デフォルト位置α以外に移動した状態では、指定する操作アイテムａ２等の大きさに合わせて幅寸法が変化するようになっている。
【００２８】
コントロールユニット９には、図２に示すように、上記左スイッチ１２または右スイッチ１３からなる選択スイッチの出力信号に応じて上記表示手段２に表示された各操作アイテムａ１等の一つを選択させるように制御する選択制御部１６と、選択された操作アイテムに対応する車両電装品の作動状態を、上記上下スイッチ１４からなる操作スイッチの出力信号に応じて調節する調節制御部１７と、上記操作アイテムの選択動作に応じてカーソル１５の指示位置を移動させるとともに、上記調節制御部１７の出力信号に応じて操作アイテムの表示内容を変化させる制御を実行する表示制御部１８とが設けられている。
【００２９】
上記選択制御部１６は、左スイッチ１２または右スイッチ１３を単発的に操作する通常操作が行われたか、上記左スイッチ１２または右スイッチ１３を長押しする連続操作が行われたかを判別し、この判別結果に応じた選択制御を実行するように構成されている。例えば、上記左スイッチ１２を単発的に操作する通常操作が行われたことが確認された場合には、上記表示手段２におけるカーソル１５の指示位置を現在位置の左側に一つだけ移動させ、上記右スイッチ１３を単発的に操作する通常操作が行われたことが確認された場合には、カーソル１５の指示位置を現在位置の右側に一つだけ移動させる制御が、上記選択制御部１６において実行されるようになっている。
【００３０】
また、上記選択制御部１６において左スイッチ１２または右スイッチ１３からなる選択スイッチを長押しする連続操作が行われたことが確認された場合には、この選択スイッチの操作方向、つまり上記左スイッチ１２または右スイッチ１３のいずれが操作されたかを示す指示信号を上記表示制御部１８に連続的に出力することにより、上記操作方向にカーソル１５の指示位置を連続的に変化させるとともに、現時点における操作アイテムａ１等の指示位置から上記選択スイッチの操作方向側に位置する特定操作アイテムを図外の記憶手段から読み出し、この読み出された特定操作アイテムを示す指示信号を上記表示制御部１８に出力することにより、上記特定操作アイテムの表示位置にカーソル１５を移動させて停止させるとともに、上記音声発生装置８に特定の警告音を発生させる制御を実行するように構成されている。
【００３１】
上記特定操作アイテムは、最も頻繁に使用されるものが車両電装品毎に予め設定されて記憶手段に記憶され、例えば上記空調装置５に関する第１表示領域Ａでは、風量調節用の操作アイテムａ２が特定操作アイテムとして設定されている。一方、第２表示領域Ａでは、各オーディオソースに応じてそれぞれ異なる操作アイテムが特定操作アイテムとして設定され、例えばオーディオソースが「ＦＭ」ラジオの受信状態に設定されている場合には、チャンネル選択用の操作アイテムｂ２が特定操作アイテムとして予め設定され、記憶手段に記憶されている。
【００３２】
次に、上記コントロールユニット９において実行される制御動作を、図６に示すフローチャート基づいて説明する。この制御動作がスタートすると、上記左スイッチ１２または右スイッチ１３からなる選択スイッチの出力信号に応じて操作アイテムの選択動作が行われたか否かを判定し（ステップＳ１）、ＹＥＳと判定された場合には、上記選択スイッチの連続操作が行われたか否、つまり上記左スイッチ１２または右スイッチ１３の何れかが長押しされた状態にあるか否かを判定する（ステップＳ２）。
【００３３】
上記ステップＳ２でＹＥＳと判定され、選択スイッチの連続操作が行われたことが確認された場合には、この選択スイッチの操作方向に位置する特定操作アイテムを記憶手段から読み出す（ステップＳ３）。例えば図５に示すように、第１表示領域Ａの操作アイテムａ２の下方にカーソル１５が位置しているとともに、第２表示領域Ｂに「ＦＭ」ラジオの受信状態に対応した各操作アイテムｂ１〜ｂ４が表示されている状態で、上記右スイッチ１３から選択信号が入力された場合には、第２表示領域Ｂに設けられたチャンネル選択用の操作アイテムｂ２が特定操作アイテムとして読み出されるようになっている。
【００３４】
次いで、カーソル１５の指示位置を、現状の操作アイテムａ２から右側に四つ移動させて上記操作アイテムｂ２からなる特定操作アイテムの下方にカーソル１５を移動させて停止させるための制御信号を上記表示制御部１８に出力するとともに（ステップＳ４）、上記特定操作アイテムの下方にカーソル１５が移動したことを報知する特定の報知音を発生させるための制御信号を上記音声発生装置８に出力する（ステップＳ５）。
【００３５】
その後、上記上下スイッチ１４からなる操作スイッチの出力信号に応じて車両電装品の作動状態を変化させる操作が行われたか否かを判定することにより、上記カーソル１５の指示位置において操作アイテムの選択を確定する意思表示が行われたか否かを判定し（ステップＳ６）、ＹＥＳと判定された時点で、上記操作スイッチの出力信号に対応した車両電装品の作動制御を実行するとともに（ステップＳ７）、これに対応して表示手段２の表示状態を変化させる制御を実行する（ステップＳ８）。なお、所定の選択確定スイッチがＯＮ操作されたことが確認された時点、または上記カーソル１５の移動後に選択スイッチの操作が一定時間に亘り行われなかったことが確認された時点で、上記操作アイテムの選択を確定する意思表示があったと判定するように構成してもよい。
【００３６】
また、上記ステップＳ２でＮＯと判定され、選択スイッチの通常操作が行われたことが確認された場合には、表示手段２においてカーソル１５の表示位置を現在位置から一つだけ選択方向に移動させるための制御信号を上記表示制御部１８に出力するとともに（ステップＳ９）、通常の選択動作が行われたことを報知する通常の報知音を発生させるための制御信号を上記音声発生装置８に出力した後（ステップＳ１０）、上記ステップＳ６に移行する。
【００３７】
上記のように車両に搭載された車両電装品を操作するスイッチ手段４と、この車両電装品の作動状態を表示する表示手段２とを備えた車両電装品の操作装置において、表示手段２に、上記車両電装品を操作するための複数の操作アイテムａ１等が並んで表示されるとともに、スイッチ手段４の左右スイッチ１２，１３からなる選択スイッチに、上記操作アイテムａ１等を個別に選択する機能と、予め設定された特定操作アイテムが選択されるように誘導する誘導機能とを兼ね備えさせるように構成したため、上記特定操作アイテムを必要に応じて迅速かつ容易に選択できるという利点がある。
【００３８】
すなわち、上記実施形態では、スイッチ手段４に設けられた選択スイッチによる操作アイテムの選択動作が連続して行われた場合、つまり左右スイッチ１２，１３からなる選択スイッチの長押しが行われた場合に、上記特定操作アイテムの選択位置にカーソル１５を一気に移動させることにより、この特定操作アイテムが優先して選択されるように誘導し、これによって表示手段２に多数の操作アイテムａ１等が並んで配置されている場合でも、操作者が一つずつカーソル１５を移動させて所望の操作アイテムを選択するという煩雑な操作を要することなく、頻繁に使用される特定操作アイテムの選択を迅速かつ容易に実行できるという利点がある。
【００３９】
また、上記実施形態では、スイッチ手段４に設けられた選択スイッチによる操作アイテムの選択動作が連続して行われた場合に、特定操作アイテムの選択位置にカーソル１５を一気に移動させるとともに、音声発生装置８を作動させて警告音を発生させるように構成したため、この警告音に応じて特定操作アイテムの表示位置にカーソル１５が移動した状態にあることを操作者に認識させることにより、この特定操作アイテムを優先して選択するように効果的に誘導できるという利点がある。
【００４０】
なお、上記選択スイッチによる操作アイテムの選択動作が連続して行われた場合に、上記特定操作アイテムの表示位置にカーソル１５を一気に移動させることなく、その選択方向にカーソル１５を一つずつ移動させるとともに、特定操作アイテムの位置にカーソル１５が移動した時点で上記警告音を発生させることにより、上記カーソル１５が特定操作アイテムの表示位置に到達したことを操作者に認識させて、この特定操作アイテムを優先して選択させる誘導を行うように構成してもよい。
【００４１】
また、上記実施形態では、スイッチ手段４に設けられた左スイッチ１２および右スイッチ１３からなる選択スイッチの操作方法に応じ、複数の操作アイテムを個別に選択する個別選択動作が行われたのか、特定操作アイテムを優先的に選択する優先選択動作が行われたのかを判別し、この判別結果に応じた制御を実行するように構成した例について説明したが、上記左スイッチ１２および右スイッチ１３からなる個別選択スイッチと、これとは別の位置に設けられた別体の優先選択スイッチを設け、この優先選択スイッチの操作に応じ、上記予め設定された特定操作アイテムが優先的に選択されるように誘導するように構成してもよい。
【００４２】
例えば、上記上下スイッチ１４の操作レバー１４ａを押圧することにより、操作レバー１４ａの裏面側に配設された圧力スイッチがＯＮ状態となったことが確認された時点で、予め設定された特定操作アイテムの選択位置にカーソル１５を移動させるように構成してもよい。この場合、予め複数の特定操作アイテムが設定されるとともに、この特定操作アイテムの使用頻度等に対応した優先順位を予め設定し、この優先順位に応じて上記カーソル１５の移動位置を順次、変化させるように構成することが望ましい。具体的には、上記第２表示領域Ｂのオーディオソースが「ＦＭ」ラジオの受信状態に設定されている場合において、チャンネル選択用の操作アイテムｂ２を第１特定操作アイテムとして設定するとともに、音量調節用の操作アイテムｂ４を第２特定操作アイテムとして設定し、最初に優先選択スイッチの操作が行われた時点で上記チャンネル選択用の操作アイテムｂ２の表示位置にカーソル１５を移動させるとともに、その次に優先選択スイッチの操作が行われた時点で上記音量調節用の操作アイテムｂ４の表示位置にカーソル１５を移動させることにより、優先順序に応じた操作アイテムの選択が順次、行われるように構成してもよい。
【００４３】
また、上記実施形態に示すように、空調装置５、オーディオ装置６およびＤＩＳ７等からなる各種の車両電装品に対応した複数の表示領域Ａ〜Ｃを上記表示手段２に連続して配列するとともに、第１，第２表示領域Ａ，Ｂにそれぞれ複数の操作アイテムａ１…，ｂ１…を配置し、かつこれらの第１，第２表示領域Ａ，Ｂ毎にそれぞれ特定操作アイテムを設定するように構成した場合には、例えば上記空調装置５に関する第１表示領域Ａの所定位置にカーソル１５が設定された状態から、オーディオ装置６に関する第２表示領域Ｂにカーソル１５を移動させる操作、つまり空調装置５の操作状態からオーディオ装置６の操作状態に移行させるのと同時に、このオーディオ装置６について頻繁に利用される特定操作アイテム、例えばチャンネル選択用の操作アイテムｂ２にカーソル１５を自動的に移動させる等により、この操作アイテムｂ３の選択を迅速かつ容易に実行できるという利点がある。
【００４４】
また、上記スイッチ手段４をステアリングホイール３以外のインストルメントパネル１等の他の場所に設けてもよいが、上記実施形態に示すように、スイッチ手段４をステアリングホイール３に設けた場合には、運転者がステアリングホイール３から手を離すことなくスイッチ手段４に設けられた選択スイッチおよび操作スイッチ等を操作することができるため、運転操作を行いながら特定の車両電装品を選択する動作およびこの車両電装品の操作を容易に行うことができるであるという利点がある。
【００４５】
なお、上記実施形態では、表示手段２上に設定された第１〜第３表示領域Ａ〜Ｃに、空調装置５、オーディオ装置６、ＤＩＳ７に関する操作アイテムをそれぞれ表示させた例について説明したが、これら以外の車両電装品（例えばオートクルーズ装置、または自動車用電話機等）に関する操作アイテムを上記表示手段２上に表示させてもよく、上記表示手段２上の表示領域の数を、操作対象となる車両電装品の数に応じて適宜設定することが可能である。
【００４６】
また、上記実施形態では、表示手段２上に、選択スイッチの操作に応じて移動するカーソル１５を表示させ、この移動するカーソル１５によって上記表示手段２上の操作アイテムａ１…，ｂ１…，ｃから任意の操作アイテムを指定して選択できるようにしたが、操作アイテムの選択が可能であれば、このような構成に限るものではなく、例えば、選択されている操作アイテムの表示色を他のものと変えることにより、操作アイテムの選択動作を行い得るようにしてもよい。
【図面の簡単な説明】
【００４７】
【図１】本発明の実施形態に係る車両電装品の操作装置が搭載部位の構成を示す説明図である。
【図２】車両電装品の操作装置の具体的構成を示すブロック図である。
【図３】表示手段の具体的構成を示す説明図である。
【図４】スイッチ手段の具体的構成を示す説明図である。
【図５】カーソルを移動させた状態を示す説明図である。
【図６】車両電装品の操作装置の制御動作を示すフローチャートである。
【符号の説明】
【００４８】
２  表示手段
４  スイッチ手段
５  空調装置（車両電装品）
６  オーディオ装置（車両電装品）
７  ＤＩＳ（車両電装品）
１２  左スイッチ（選択スイッチ）
１３  右スイッチ（選択スイッチ）
１５  カーソル
Ａ〜Ｂ  表示領域
ａ１〜ａ４，ｂ１〜ｂ４，ｃ  操作アイテム
【図１】
2008044495.tif 000003
【図２】
2008044495.tif 000004
【図３】
2008044495.tif 000005
【図４】
2008044495.tif 000006
【図５】
2008044495.tif 000007
【図６】
2008044495.tif 000008